(57)【要約】      （修正有）【課題】情報享受者が逐次変化する映像などに連動して、発生させた匂いを感じ取ることができる芳香伝達装置を提供する。【解決手段】芳香を射出する芳香射出手段９と、射出される芳香温度を計測する芳香温度計測手段と、上記芳香を射出すべき雰囲気温度を計測する雰囲気温度計測手段５と、上記芳香温度と上記雰囲気温度との差に応じて、上記芳香射出手段９による芳香の射出を制御する制御手段１９とを有する。この制御手段１９は、これら雰囲気温度と芳香温度とを比較し、この雰囲気温度と芳香温度との温度差に応じて芳香射出手段９を制御する。【選択図】図２
2008270923.tif 000002
【特許請求の範囲】
【請求項１】
芳香を射出する芳香射出手段と、
射出される芳香温度を計測する芳香温度計測手段と、
前記芳香を射出すべき雰囲気温度を計測する雰囲気温度計測手段と、
前記芳香温度と前記雰囲気温度との差に応じて、前記芳香射出手段による芳香の射出を制御する制御手段と
を有することを特徴とする芳香伝達装置。
【請求項２】
請求項１記載の芳香伝達装置において、
前記芳香射出手段が射出すべき芳香の温度を調整する温度調整手段を有し、
前記制御手段は、前記温度調整手段に、前記芳香温度が前記雰囲気温度と一致するように調整させることを特徴とする芳香伝達装置。
【請求項３】
請求項１又は請求項２記載の芳香伝達装置において、
前記制御手段は、前記芳香温度と前記雰囲気温度との温度差に応じて前記芳香射出手段による芳香の射出角度を変更することを特徴とする芳香伝達装置。
【請求項４】
請求項１乃至請求項３のいずれか記載の芳香伝達装置において、
映像及び音の少なくとも一方を出力する出力源を有し、
前記制御手段は、
対象者が前記芳香を伴う映像及び音の少なくとも一方を視聴するタイミングと、前記芳香を感じるタイミングとをほぼ一致させるように、前記射出タイミングを補正することを特徴とする芳香伝達装置。
【請求項５】
請求項１乃至請求項４のいずれか記載の芳香伝達装置において、
前記映像及び音の少なくとも一方がコンテンツデータとして記録媒体に記録されており、
前記記録媒体は、
前記映像及び音の少なくとも一方の内容自体を表す実体内容情報と、
前記芳香射出手段による芳香の射出を制御するための芳香制御情報とを含み、
前記制御手段は、
前記記録媒体から取得した前記芳香制御情報に基づいて前記芳香射出手段を制御することを特徴とする芳香伝達装置。
【請求項６】
請求項５記載の芳香伝達装置において、
前記芳香制御情報は、少なくとも芳香発生タイミング情報及び芳香成分情報を含み、
前記制御手段は、前記芳香発生タイミング情報が指定する芳香発生タイミングを、前期所要時間だけ前もって芳香が射出されるように前記射出タイミングを補正することを特徴とする芳香伝達装置。
【請求項７】
請求項４乃至請求項６のいずれか記載の芳香伝達装置において、
前記映像及び音の少なくとも一方がコンテンツデータとして配信されており、
前記コンテンツデータは、
前記映像及び音の少なくとも一方の内容自体を表す実体内容情報と、
前記芳香射出手段による芳香の射出を制御するための芳香制御情報とを含み、
前記制御手段は、
受信した前記芳香制御情報に基づいて前記芳香射出手段を制御することを特徴とする芳香伝達装置。
【請求項８】
請求項７記載の芳香伝達装置において、
前記芳香制御情報は、少なくとも芳香発生タイミング情報及び芳香成分情報を含み、
前記制御手段は、前記芳香発生タイミング情報が指定する芳香発生タイミングを、前記所要時間だけ前もって芳香が射出されるように前記射出タイミングを補正することを特徴とする芳香伝達装置。
【請求項９】
請求項１乃至請求項８のいずれか記載の芳香伝達装置において、
前記芳香射出手段は、射出すべき複数の芳香の成分の１つとして用意した、前記射出済みの芳香を消失させるための脱臭気体を射出することを特徴とする芳香伝達装置。
【請求項１０】
請求項９記載の芳香伝達装置において、
前記制御手段は、
前記離間距離に基づいて、前記脱臭気体が前記対象者の鼻に到達するまでの所要時間を演算し、前記所要時間に応じて前記脱臭気体の射出タイミングを補正することを特徴とする芳香伝達装置。
【請求項１１】
芳香射出手段によって射出すべき芳香の温度を計測する芳香温度計測ステップと、
前記芳香を射出すべき雰囲気の温度を計測する雰囲気温度計測ステップと、
前記芳香の温度と前記雰囲気の温度との差に応じて、前記芳香射出手段による芳香の射出を制御する制御ステップと
を有することを特徴とする芳香伝達方法。
【請求項１２】
請求項１１記載の芳香伝達方法において、
前記芳香射出手段から対象者の鼻までの離間距離を計測する距離計測ステップを有し、
前記制御ステップでは、さらに、
前記離間距離に基づいて、前記芳香射出手段から射出された前記芳香が前記対象者の鼻に到達するまでの所要時間を演算し、前記所要時間に応じて前記芳香射出手段による前記芳香の射出タイミングを補正して前記芳香射出手段を制御することを特徴とする芳香伝達方法。
【発明の詳細な説明】
【技術分野】
【０００１】
本発明は、視聴者に対して芳香を射出する芳香伝達装置及び芳香伝達方法に関する。
【背景技術】
【０００２】
従来、映像や音（以下「映像など」という）を出力するとともに、この映像などに合わせて擬似的に匂いを射出する装置（以下「疑似匂い発生装置」という）が存在している。このような従来の疑似匂い発生装置では、映像などに合わせて所定の匂いを擬似的に提示するものである。
【０００３】
具体的には、従来の疑似匂い発生装置では、生体における匂いの識別法に準じた匂いセンサを利用することで匂いの基本成分の種類や濃度を検出し、この検出結果を通信或いは記憶媒体を介して利用できるように、ディジタル情報としている。
【０００４】
また、この擬似的匂い発生装置の匂い貯留部は、ディジタル情報に応じて、例えば匂い要素を封入した数十から数百程度のマイクロカプセルを塗布したディスクに対し、所定のレーザを照射する。これにより、この匂い貯留部は、このディスク上に塗布した多数のマイクロカプセルの一部を選択的に破壊することで必要量を短時間で混合し、所定の匂いを発生させることができる。
【０００５】
【特許文献１】特許２７４１７４９号公報
【発明の開示】
【発明が解決しようとする課題】
【０００６】
上記従来技術では、情報享受者が映像などと連動させて、上述のような擬似的な匂いの提供を受けることができることも考えられるが、この場合、次のような問題点も考えられる。すなわち、匂い貯留部と情報享受者とは所定の距離離間しているため、仮に匂い貯留部がディジタル情報に基づいて匂いを発生させたとしても、この発生させた匂いの温度と室温との温度差によって匂いが所望の方向に向かわず、情報享受者が、逐次変化する映像などに連動して、発生させた匂いを感じ取ることができない場合があった。
【０００７】
本発明が解決しようとする課題には、上記した問題が一例として挙げられる。
【課題を解決するための手段】
【０００８】
上記課題を解決するために、請求項１記載の発明は、芳香を射出する芳香射出手段と、射出される芳香温度を計測する芳香温度計測手段と、前記芳香を射出すべき雰囲気温度を計測する雰囲気温度計測手段と、前記芳香温度と前記雰囲気温度との差に応じて、前記芳香射出手段による芳香の射出を制御する制御手段と
を有するを有する。
【０００９】
上記課題を解決するために、請求項１１記載の発明は、芳香射出手段によって射出すべき芳香の温度を計測する芳香温度計測ステップと、前記芳香を射出すべき雰囲気の温度を計測する雰囲気温度計測ステップと、前記芳香の温度と前記雰囲気の温度との差に応じて、前記芳香射出手段による芳香の射出を制御する制御ステップとを有する。
【発明を実施するための最良の形態】
【００１０】
以下、本発明の一実施の形態を図面を参照しつつ説明する。
＜第１実施形態＞
図１は、第１実施形態としての芳香伝達装置１００を備える表示装置１の外観の一例を示す正面図である。
表示装置１は筐体２及び脚部５を有する。この筐体２は、脚部５によって設置面において支えられている。この筐体２は、その外観上、表示パネル７及び２つのスピーカー４を備えている。この筐体２は芳香伝達装置１００を内蔵している。この芳香伝達装置１００については後述する。
【００１１】
この表示パネル７は筐体２の中央部に設けられている。この表示パネル７は、その筐体２の中央部において、外部から入力された画像データに基づく映像を表示する機能を有する。この筐体２の下部には、その右側及び左側に各々スピーカー４が設けられている。
【００１２】
このスピーカー４は、図示しない駆動回路の制御によって、表示パネル７に表示された映像に同期して音を出力する機能を有する。この筐体２は、その内部に図示しない駆動回路を備えている。この駆動回路は、上記画像データに基づく映像を表示パネル７に表示させるための駆動制御を行う。
【００１３】
上記スピーカー４の間には、上記芳香伝達装置１００の一部を構成する芳香射出装置９が設けられている。この芳香射出装置９（芳香射出手段）は、出力源としての表示パネル７又はスピーカー４の近傍に配置しており、視聴者（対象者）に対して芳香を射出する機能を有する。
【００１４】
この芳香射出装置９は、外観上、上記表示装置１の下部の中心に円形の射出開口部９ａが露出しており、その円形の射出開口部９ａの外側に沿ってドーナツ形状の吸引開口部９ｂが露出している。本実施形態では、これら射出開口部９ａ及び吸引開口部９ｂを総称して「ノズル」ともいう。
【００１５】
この芳香射出装置９は、その中心部に位置する円形の射出開口部９ａから芳香を射出し、やや遅れてその外側のドーナツ形状の吸引開口部９ｂから、ノズル周囲の空気を吸引する。すると、ノズル近傍における中心部の流速と周辺部との差により、芳香の塊はドーナツ状となり、直進性を持って進行するようになる。この芳香射出装置９は、射出済みの芳香を消失させるための脱臭気体を射出する場合、同様の手法によりドーナツ状の脱臭気体を直線性を持って射出することができる。
【００１６】
上記表示パネル７は、いわゆる、プラズマディスプレイパネル、液晶表示素子又は有機エレクトロルミネッセンス素子（有機ＥＬ素子）を用いた表示パネルである。本実施形態においては、この表示パネル７が多数の有機エレクトロルミネッセンス素子（有機電界発光素子）を備えているものとする。この表示パネル７は、多数の有機電界発光素子がマトリクス状に配列した構成となっている。これらマトリクス状に配列した有機電界発光素子は、図示しない駆動回路の制御によって各画素ごとに駆動制御されている。
【００１７】
また筐体２の上部における左右には、それぞれ距離計測装置６が設けられている。これら距離計測装置６（距離計測手段）は、上述した芳香伝達装置１００の一部を構成しており、芳香伝達装置９から視聴者の鼻までの離間距離を計測する機能を有する。
【００１８】
これら一対の距離計測装置６は、光、超音波、画像認識角度などの方法を用いて距離を測定する機能を有する。具体的には、この距離計測装置６は、例えばカメラによって撮影した視聴者の顔の画像から視聴者の鼻を周知のパターン認識や画像認識技術を用いて認識し、例えば光又は超音波を用いて自らから視聴者の鼻までの距離（離間距離）を計測する機能を有する。
【００１９】
図２は、図１に示す表示装置１が内蔵する芳香伝達装置１００の電気的な構成例を示すブロック図である。
芳香伝達装置１００は、周囲温度計測部５、芳香射出装置９及び制御部１９を有する。この芳香伝達装置１００は、さらに距離計測装置６、映像音入出力部１１、外部通信部１２、状態表示部１５、記憶部１３及びスイッチ部１７を備えている。これら距離計測装置６などは、それぞれバスライン１６に接続されている。このバスライン１６は、これら接続されている距離計測装置６、芳香射出装置９及び制御部１９等との間でデータなどの交換や制御を行うことができる。
【００２０】
周囲温度計測部５（雰囲気温度計測手段）は、芳香を射出すべき雰囲気の温度（すなわち、表示パネルが置かれてある部屋の室温）を計測する機能を有する。この周囲温度計測部５は、例えば赤外線センサー、赤外線カメラ又は熱電対などによって構成されている。この周囲温度計測部５は、計測した雰囲気の温度に関する雰囲気温度情報を制御部１９に出力する。
【００２１】
距離計測装置６（距離計測手段）は、芳香射出装置９（芳香射出手段）から視聴者の鼻までの離間距離を計測する機能を有する。具体的には、この距離計測装置６は、例えばカメラによって撮影した視聴者の顔に関する画像からこの視聴者の鼻を画像処理によって認識するとともに、この視聴者の鼻までの距離を光や超音波によって計測する機能を有する。本実施形態では、この距離計測装置６によって計測された自ら（距離計測装置６）の位置から視聴者の鼻までの距離を「離間距離」と呼ぶ。
【００２２】
芳香射出装置９（芳香射出手段）は、例えば空気砲の原理によって芳香を射出する機能を有する。この芳香射出装置９の具体的な構成については後述する。
【００２３】
制御部１９（制御手段）は、芳香伝達装置１００全体をコントロールするＣＰＵなどから構成される。この制御部１９は、詳細は後述するが、上記雰囲気温度情報に基づく雰囲気の温度と、射出すべき芳香の温度との差に応じて、芳香の射出を制御する。
【００２４】
またこの制御部１９は、芳香射出装置９による芳香の伝送速度及び離間距離に基づいて、この芳香射出装置９から射出された芳香が視聴者の鼻に到達するまでの所要時間を演算する。さらにこの制御部１９は、この所要時間に応じてこの芳香射出装置９による芳香の射出タイミングを補正する。そしてこの制御部１９は、このような演算結果に基づいて後述するように芳香射出装置９を制御する。
【００２５】
映像音入出力部１１は、外部から映像データ及び音データの少なくとも一方（以下「映像データなど」という）を少なくとも入力する機能を有する。記憶部１３は、このように入力された映像データ、制御部１９で用いられるプログラムや各種パラメータなどを記憶可能なメモリである。外部通信部１２は、芳香射出装置１００の外部との間でデータ通信を行う機能を有する。状態表示部１５は、この芳香射出装置９の状態を表示する表示部である。スイッチ部１７は、この芳香射出装置９を操作するスイッチ部である。
【００２６】
図３は、図２に示す芳香射出装置９の概念的な構成例を示すブロック図である。
芳香射出装置９は、芳香メインタンク２９、コック２８、芳香混合部２１、芳香サブタンク２３、芳香射出部２５、タンク温度センサ部３０、タンク温度コントロール部２４及び芳香射出制御部２７を備えている。
【００２７】
芳香射出制御部２７は、制御部１９の制御下の元、後述するように芳香メインタンク２９、コック２８、芳香サブタンク２３及び芳香射出部２５の動作を制御する。
【００２８】
芳香メインタンク２９は、第１基本芳香２９ａ、第２基本芳香２９ｂ、第３基本芳香２９ｃ、第４基本芳香２９ｄ及び第５基本芳香２９ｅを備えている。これら第１基本芳香２９ａなどは、それぞれ視聴者に対して射出すべき芳香を生成するために混合される基本的な芳香を表している。
【００２９】
また芳香メインタンク２９は、さらに基本消臭剤２９ｇを備えていている。すなわち芳香伝達装置１００は、芳香射出装置９によって射出済みの芳香を消失させる脱臭気体を射出する機能を有する。
【００３０】
芳香混合部２１は、コック２８を介して芳香メインタンク２９と接続されている。この芳香混合部２１は、芳香射出制御部２７の制御によるコック２８の開閉状況に応じて、芳香メインタンク２９内の第１基本芳香２９ａなど又はこれらいずれかの組み合わせを混合する。
【００３１】
芳香サブタンク２３は、芳香混合部２１内で混合されて生成された新たな芳香を一時的に貯蔵するためのタンクである。このうち芳香サブタンク２３は、芳香射出制御部２７の制御によって、次の芳香を芳香射出部２５に送り込むためにこの芳香を一時的に貯留する機能を有する。
【００３２】
タンク温度センサ部３０（芳香温度計測手段）は、芳香射出部２５が射出すべき芳香の温度を計測する機能を有する。このタンク温度センサ部３０は、例えば芳香サブタンク２３に貯留する芳香の温度を計測する。タンク温度センサ部３０は、計測した芳香の温度に関する芳香温度情報を上記制御部１９に出力する。
【００３３】
タンク温度コントロール部２４（制御手段）は、上記制御部１９の制御によって、芳香射出部２５による芳香２６の射出を制御する機能を有する。具体的には、このタンク温度コントロール部２４（制御手段）は、芳香２６の温度と上述した雰囲気の温度との差に応じて、芳香射出部２５による芳香２６の射出を制御する機能を有する。
【００３４】
芳香射出部２５は、芳香射出制御部２７の制御によって、内部に貯留していた芳香を射出し、上述した視聴者に対して芳香の気団２６（以下、省略して「芳香２６」という）を放出する機能を有する。
【００３５】
芳香射出部２５における芳香２６を射出する口付近には、ノズル９ａ，９ｂが設けられている。これらノズル９ａ，９ｂは、二重の同心円筒形状のパイプ構造である。ノズル９ａは中心寄りの部分を構成しており、ノズル９ｂは外周寄りの部分を構成している。芳香は、中心寄りのノズル９ａから射出され、その外側の開口部をなすノズル９ｂは、芳香の射出速度よりも遅い速度の空気射出及び吸引を行う。
【００３６】
図４は、図３に示す芳香サブタンク２３の構成例を示す断面図である。なお図４においては、説明の都合上、タンク温度コントロール部２４も図示している。
芳香サブタンク２３は、タンク２３ａ、逆流防止弁２３ｂ，２３ｃ、タンク温度センサ部３０及びペルチェ素子２４ａ，２４ｂ，２４ｃ，２４ｄを備えている。
タンク２３ａは、芳香混合部２１からの芳香を一時的に貯留するためのタンクである。このタンク２３ａには逆止弁２３ｂ，２３ｃが設けられている。逆止弁２３ｃは芳香混合部２１に接続されている。この逆止弁２３ｃは、一旦、タンク２３ａに貯留した芳香（或いは脱臭気体）が芳香混合部２１に逆流しないように堰き止めるための弁である。この逆止弁２３ｂは、一旦、芳香射出部２５に供給した芳香（或いは脱臭気体）がタンク２３ａに逆流しないように堰き止めるための弁である。
【００３７】
ペルチェ素子２４ａ，２４ｂ，２４ｃ，２４ｄは、タンク２３ａ内の芳香（或いは脱臭気体）の温度を調整するための温度調整手段の一種である。これらペルチェ素子２４ａ，２４ｂは、このタンク２３ａの下部に設けられている。一方、これらペルチェ素子２４ｃ，２４ｄは、このタンク２３ａの上部に設けられている。なお、ペルチェ素子２４ａ，２４ｂ及びペルチェ素子２４ｃ，２４ｄは、一方がタンク２３ａに設けられている形態であっても良い。
【００３８】
これらペルチェ素子２４ａ，２４ｂは、タンク温度コントロール部２４の制御による印加電圧に応じて、一方が発熱すると他方が吸熱する機能を有する。これらペルチェ素子２４ｃ，２４ｄも、タンク温度コントロール部２４の制御による印加電圧に応じて、一方が発熱すると他方が吸熱する機能を有する。ペルチェ素子２４ａ，２４ｂと同様にタンク温度コントロール部２４の制御によって発熱したり冷却可能な構成となっている。なお、発熱する機能だけを考慮した場合、このタンク２３ａには、これらペルチェ素子２４ａなどの発熱の代わりにニクロム線による発熱で代用しても良い。
【００３９】
タンク温度コントロール部２４は、上記制御部１９の制御によって、このようにペルチェ素子２４ａなどが発熱するとタンク２３ａ内の芳香（或いは脱臭気体）を加熱することができる一方、吸熱するとタンク２３ａ内の芳香（或いは脱臭気体）を冷却することができる。タンク温度センサ部３０は、タンク２３ａ内に貯留する芳香の温度を計測する機能を有する。
【００４０】
図５は、図３に示す芳香射出部２５の構成例を示す断面図である。なお、図５においては、説明の都合上、併せて芳香射出制御部２７も図示している。
芳香射出部２５は、射出用タンク２５ａ、圧電素子２５ｂ及び逆流防止弁２５ｃを備えている。またこの芳香射出部２５が芳香２６を射出する口には、ノズル９ａ，９ｂが設けられている。なお、これらノズル９ａ，９ｂの構造は簡素化して図示している。
【００４１】
射出用タンク２５ａは、芳香サブタンク２３から供給された芳香を一時的に貯留するタンクである。この射出用タンク２５ａにおける芳香サブタンク２３からの芳香の供給口には逆流防止弁２５ｃが設けられている。この逆流防止弁２５ｃは、芳香サブタンク２３から射出用タンク２５ａに既に供給された芳香がその芳香サブタンク２３に逆流しないように堰き止める機能を有する。
【００４２】
圧電素子２５ｂは、例えばピエゾ素子を用いたものである。この圧電素子２５ｂは、芳香射出制御部２７による印加電圧に基づく圧電効果によって射出用タンク２５ａの内部の容積を瞬間的に変化させ、貯留している芳香２６をノズル９ａ，９ｂを介して射出する機能を有する。
【００４３】
なお、上述したペルチェ素子２４ａなど（図４参照）は、芳香サブタンク２３に設けられている代わりに、芳香射出部２５に設けられている形態であっても良い。つまりタンク温度コントロール部２４は、制御部１９の制御によって、芳香射出部２５内の芳香（或いは脱臭気体）を加熱したり冷却するようにしてもよい。
【００４４】
図６は、芳香伝達装置１００が視聴者に対して芳香２６を射出する様子を上方から見た場合の一例を示す平面図である。
この表示パネル７の両端には、それぞれ距離計測装置６が設けられている。また、この表示パネル７のほぼ中央部には芳香射出装置９が設けられている。視聴者３１は、表示装置１の表示パネル７の映像表示面に対面するように、その表示パネル７の映像表示面に沿った方向おけるほぼ中心に位置するようにしている。すなわち視聴者は、例えば芳香射出装置９のほぼ正面に位置している。図６では、芳香射出装置９から視聴者３１に向けて射出された芳香が、徐々に広がりながら視聴者３１の鼻に伝達される旨を模式的に記述してある。
【００４５】
上記制御部１９は、上記タンク温度コントロール部２４（温度調整手段）に、上記芳香温度が雰囲気温度と一致するように調整させている。この芳香温度（芳香の温度）は、制御部１９の制御によって、タンク温度センサ部３０が芳香サブタンク２３のタンク２３ａ内の芳香に関して計測した値である。またこの雰囲気温度（雰囲気の温度）は、制御部１９の制御によって、周囲温度計測部４が、芳香２６が射出される雰囲気の温度を計測した値である。
【００４６】
また、距離計測装置６（距離計測手段）は、例えば光又は超音波によって視聴者との距離を計測する。ここで本実施形態では、制御部１９は、両端の距離計測装置６によって各々計測された視聴者までの第１の距離及び第２の距離に基づいて、芳香射出装置９から視聴者までの離間距離を間接的に計測している（距離計測手段）。芳香伝達装置１００は、制御部１９の制御によって芳香射出装置９に、補正タイミングにて視聴者の方向に芳香２６を射出させている。
【００４７】
図７は、芳香伝達装置１００が視聴者に対して芳香２６を射出する様子を側方から見た場合の一例を示す平面図である。
この例では、芳香２６の温度が周囲の温度（雰囲気温度）よりも高い場合の例を示しており、芳香２６が浮力を得て次第に上昇している様子を示している。このように、芳香２６の塊（気団）の温度が周囲より高い場合は、芳香２６が周囲の空気より軽くなる例では、図示のように芳香射出装置９から射出された芳香２６が視聴者３１の鼻の上方を通過し、視聴者３１の鼻に到達しない。
【００４８】
図８は、芳香伝達装置１００が視聴者に対して芳香２６を射出する様子を側方から見た場合の一例を示す平面図である。
この例では、芳香２６の温度が周囲の温度（雰囲気温度）よりも低い場合の例を示しており、芳香２６が浮力を受けずに次第に下降していく様子を示している。このように、芳香２６の塊（気団）の温度が周囲より低い場合は、芳香２６が周囲の空気より重くなる例では、図示のように芳香射出装置９から射出された芳香２６が視聴者３１の鼻の下方に落ち、視聴者３１の鼻に到達しない。
【００４９】
図９は、芳香伝達装置１００が視聴者に対して芳香２６を射出する様子を側方から見た場合の一例を示す平面図である。
これ委では、芳香２６の温度が周囲の温度（雰囲気温度）とほぼ等しい場合の例を示しており、芳香２６が周囲の温度とほぼ等しいことから、芳香２６が温度変化の影響を受けず、射出された後に大気（雰囲気）中を直線的に進む。
【００５０】
しかも、この例では、表示パネル７には映像が表示されており、この映像では、例えば時刻Ｔ１において爆発のシーンが表示される。なお、再生タイミング時間と補正タイミング時間との時間差を、例えばΔＴと設定し、芳香射出装置９から視聴者３１の鼻までの距離をＤとしている。
【００５１】
すると、芳香伝達装置１００は、この芳香射出装置９が、例えば一定の伝送速度Ｖで芳香２６を射出するとした場合、芳香射出装置９から射出された芳香２６が視聴者に到達するまでの時間ΔＴ＝Ｄ／Ｖとなる。なお、芳香射出装置９から視聴者までは例えば距離がＤである。よって芳香伝達装置１００は、時刻Ｔ１−ΔＴに火薬の芳香２６を伝送速度Ｖで射出すれば、時刻Ｔ１においてこの芳香２６が視聴者に到達することとなる。すると、視聴者は、視覚的に認識している爆発のシーンに同期して、火薬の芳香２６を嗅覚的に認識することができるため、映像や音によって各々視覚や聴覚によって楽しむことができるばかりでなく、嗅覚によって芳香２６も楽しむことができる。従って視聴者は、より臨場感豊かに映像（や音）を楽しむことができる。
【００５２】
また、視聴者と表示装置１との間の距離に関らず、芳香が漂う場面のコンテンツの視聴タイミングと視聴者の鼻に芳香が届くタイミングが同一になるように、芳香が視聴者に到達する所要時間を補正して芳香を発生することができる。これにより、視聴者に視聴位置を表示装置に対して固定にするような制限がなくなり、視聴者が自由な位置で芳香を伴うコンテンツを楽しむことができる。
【００５３】
＜芳香制御情報の記録媒体への記録方法例＞
上述した芳香制御情報のＤＶＤへの記録方法としては、次のような記録装置３００を用いた記録方法を採用することができる。
図１０は、上記ＤＶＤへコンテンツデータ及び上記芳香制御情報を記録する記録装置３００の構成例を示すブロック図である。
【００５４】
この記録装置３００は、ＤＶＤへ記録すべきコンテンツデータをＶＴＲ（Ｖｉｄｅｏ  Ｔａｐｅ  Ｒｅｃｏｒｄｅｒ）７０に用意しておき、このＶＴＲ７０から読み出したコンテンツデータを記録媒体の一例であるＤＶＤに記録する機能を有する。
【００５５】
具体的には、この記録装置３００は、ＶＴＲ７０、メモリ７１、信号処理部７２、ハードディスク（ＨＤ）装置７３、ハードディスク（ＨＤ）装置７４、コントローラ７５、多重器７６、変調器７７及びマスタリング装置７８を有する。
【００５６】
ＶＴＲ７０には、ＤＶＤに記録すべき映像や音等のコンテンツ（素材）である記録情報Ｒ（上記コンテンツデータに相当）が記録されている。このＶＴＲ７０に記録されている記録情報Ｒは、信号処理部７２からの要求により、この信号処理部７２に出力される。
【００５７】
この信号処理部７２は、この記録情報ＲをＡ／Ｄ変換した後、例えばＭＰＥＧ２方式により圧縮処理する。さらにこの信号処理部７２は、この記録情報Ｒを構成する映像情報（映像信号）及び音情報（音信号）を時間軸多重して圧縮多重信号Ｓｒとして出力する。その後、出力された圧縮多重信号Ｓｒは、ハードディスク装置７３に一時的に記憶される。
【００５８】
これと並行して、メモリ７１では、上記記録情報Ｒを部分記録情報Ｐｒに予め区分し、各部分記録情報Ｐｒが生成される。さらにこのメモリ７１上では、それぞれの部分記録情報Ｐｒに関する、特にＤＶＤについての最低読み出しレートが記載されたキューシートＳＴに基づき、予め入力されたこの部分記録情報Ｐｒに関する内容情報を一時的に記憶する。そしてメモリ７１は、上記信号処理部７２からの要求に基づいてこの内容情報について内容情報信号Ｓｉとして出力する。
【００５９】
この信号処理部７２は、ＶＴＲ７０から出力される上記記録情報Ｒに対応したタイムコードＴｔ及び、メモリ７１から出力される内容情報信号Ｓｉに基づきタイムコードＴｔを参照し、上記部分記録情報Ｐｒに対応するアクセス情報信号Ｓａｃを生成して出力する。このアクセス情報信号Ｓａｃはハードディスク装置７４に一時的に記憶される。
【００６０】
以上の処理が、記録情報Ｒ全体について実行される。記録情報Ｒの全てについて上記の処理が終了すると、コントローラ７５は、ハードディスク装置７３から圧縮多重信号Ｓｒを読み出すとともにハードディスク装置７４からアクセス情報信号Ｓａｃを読み出す。そしてコントローラ７５は、これら圧縮多重信号Ｓｒ及びアクセス情報信号Ｓａｃに基づいて付加情報ＤＡを生成する。この付加情報ＤＡは、ハードディスク装置７４に記憶される。
【００６１】
一方、コントローラ７５は、上記信号処理部７２、ハードディスク装置７３及びハードディスク装置７４について各々の動作の時間管理を行う。このコントロ−ラ７５は、この付加情報ＤＡに対応する付加情報信号Ｓａを、ハードディスク装置７４から読み出して多重器７６に出力する。
【００６２】
この付加情報ＤＡの一部に、芳香制御情報である。この芳香制御情報のデータとしては、必要に応じて次のような内容のいずれか又はこれらいずれかの組み合わせを選択して採用することができる。具体的には、芳香発生タイミング情報（芳香２６を発生させたい時分秒などのタイムスタンプ）、芳香持続時間情報（上記再生期間に相当）、芳香の強さ情報（例えば１〜５のような５段階で表した芳香物質の量）、芳香成分情報、消臭剤（脱臭気体）発生タイミング情報、消臭剤成分情報が採用できる。これら以外の芳香に関する情報を芳香制御情報として含むことができることはいうまでもない。
【００６３】
これと共に、このコントロ−ラ７５は、圧縮多重信号Ｓｒと付加情報信号Ｓａを時間軸多重するための信号として情報選択信号Ｓｃｃを生成し、多重器７６に出力する。
【００６４】
この多重器７６は、情報選択信号Ｓｃｃに基づき、これら圧縮多重信号Ｓｒと付加情報信号Ｓａを時間軸多重し、その結果としての情報付加圧縮多重信号Ｓａｐを変調器７７に出力する。
【００６５】
つまり、このコントロ−ラ７５は、このアクセス情報信号Ｓａｃに応じたタイミングで、上記付加情報信号Ｓａを選択すべき旨を表す信号として情報選択信号Ｓｃｃを、多重器７６に対して出力する。この多重器７６は、この情報選択信号Ｓｃｃに基づき付加情報信号Ｓａ側にスイッチし、端子７６ａと端子７６ｃを接続する。
【００６６】
一方、このコントローラ７５は、圧縮多重信号Ｓｒを選択すべき旨を表す信号として情報選択信号Ｓｃを、多重器７６に対して出力する。この多重器７６は、圧縮多重信号Ｓｒ側にスイッチし、端子７６ａと端子７６ｂを接続する。すると、この多重器７７は、上記ＶＯＢＵ９２にあるビデオデータ（映像信号）、オーディオデータ（音信号）を情報付加圧縮多重信号Ｓａｐとして、順次、変調器７７に入力する。このような動作が複数のＶＯＢＵ９２について繰り返し行われ、更に複数のＶＴＳ８３について繰り返される。
【００６７】
上記変調器７７は、入力された情報付加圧縮多重信号Ｓａｐに対してリードソロモン符号等のエラー訂正コード（ＥＣＣ）の付加をして、さらに８−１６変調等の変調を施してディスク記録信号Ｓｍを生成する。さらにこの変調器７７は、このディスク記録信号Ｓｍをマスタリング装置７８に対して出力する。
【００６８】
このマスタリング装置７８は、このディスク記録信号Ｓｍをスタンパディスクに対して記録する。このスタンパディスクは、光ディスクを製造する際のマスタ（抜き型）となるものである。そして図示しないレプリケーション装置は、このスタンパディスクを用いて一般向けに販売すべきレプリカディスクとしての光ディスク、即ちＤＶＤを製造する。このように製造されたＤＶＤには、上述した映像信号及び音信号が記録されているのみならず、上述したＤＳＩ９３ｂ及びＰＣＩ９３ａの少なくとも一方に、上記芳香制御情報が記録されていることになる。
【００６９】
図１１は、上述の記録装置により作成されるビデオファイルのフォーマットの一例を示す図である。
ビデオファイルは、例えば記録媒体としてＤＶＤを挙げると、映像を表示するためのビデオデータ（映像信号）や音を出力するためのオーディオデータ（音信号）などのコンテンツデータの他にも、次のような情報データを備えている。すなわちこのビデオファイルは、マルチアングルやパレンタル再生、ランダム・シャッフル再生などのＤＶＤ独自の機能を実現する情報データや、早送り、巻き戻しなどの特殊再生をサポートするための情報データを有している。ここでは、前者をプレゼンテーションデータ、後者をナビゲーションデータと呼ぶ。
【００７０】
ＤＶＤビデオゾーンには、ＤＶＤビデオの再生に必要な全てのファイルが格納されている。このＤＶＤビデオゾーンは、ひとつのＶＭＧ（Ｖｉｄｅｏ  Ｍａｎａｇｅｒ）８０及び少なくとも１つのＶＴＳ（Ｖｉｄｅｏ  Ｔｉｔｌｅ  Ｓｅｔ）８１，８２，８３を含んでいる。
【００７１】
ＶＭＧ８０は、ＶＭＧＩ（Ｖｉｄｅｏ  Ｍａｎａｇｅｒ  Ｉｎｆｏｒｍａｔｉｏｎ）８０ａ、ＶＭＧＭ＿ＶＯＢＳ（Ｖｉｄｅｏ  Ｏｂｊｅｃｔ  Ｓｅｔ  ＶＭＧ  Ｍｅｎｕ）８０ｂ及びバックアップのためのＶＭＧＩ（ＢＵＰ）８０ｃを含んでいる。ＶＭＧＩ８０ａは、ＤＶＤビデオゾーン全体についての制御情報である。このＶＭＧＩ８０ａは、例えばＶＩＤＥＯ＿ＴＳ．ＩＦＯという１つのファイルで構成されている。
【００７２】
ＶＭＧＭ＿ＶＯＢＳ８０ｂは、タイトル選択メニューのためのコンテンツである。ＶＭＧＭ＿ＶＯＢＳ８０ｂは、例えばＶＩＤＥＯ＿ＴＳ．ＶＯＢというひとつのファイルで構成されている。ＶＭＧＩ（ＢＵＰ）８０ｃは、上述したＶＭＧＩ８０ａと同一の内容である。このＶＭＧＩ（ＢＵＰ）８０ｃは、例えばＶＩＤＥＯ＿ＴＳ．ＢＵＰというひとつのファイルで構成されている。なお、このＶＭＧＭ＿ＶＯＢＳ８０ｂは省略することもできる。
【００７３】
ＶＴＳ（ＶＴＳ２を例示する）８３は、ＶＴＳI（Ｖｉｄｅｏ  Ｔｉｔｌｅ  Ｓｅｔ  Ｉｎｆｏｒｍａｔｉｏｎ）８３ａ、ＶＴＳＭ_ＶＯＢＳ（Ｖｉｄｅｏ  Ｏｂｊｅｃｔ  Ｓｅｔ  ｆｏｒ  ｔｈｅ  ＶＴＳ  Ｍｅｎｕ）８３ｂ、ＶＴＳＴＴ_ＶＯＢＳ（Ｖｉｄｅｏ  Ｏｂｊｅｃｔ  Ｓｅｔ  ｆｏｒ  Ｔｉｔｌｅｓ  ｉｎ  ａ  ＶＴＳ）８３ｃ及びバックアップのためのＶＴＳI（ＢＵＰ）８３ｄを含んでいる。ＶＴＳＩ８３ａは、そのＶＴＳに対する制御情報である。このＶＴＳＩ８３ａは、このＶＴＳ＿＃＃＿０．ＩＦＯというひとつのファイルで構成されている。なお、「＃＃」は０１から９９までの整数、「＠」は１から９までの整数を表わしている。
【００７４】
ＶＴＳＭ_ＶＯＢＳ８３ｂは、ＶＴＳ８３（ＶＴＳ２）内の各種メニューのためのコンテンツである。このＶＴＳＭ_ＶＯＢＳ８３ｂは、例えばＶＴＳ＿＃＃＿０．ＶＯＢというひとつのファイルで構成されている。ＶＴＳＴＴ＿ＶＯＢＳ８３ｃは、タイトル再生のためのコンテンツである。このＶＴＳＴＴ＿ＶＯＢＳ８３ｃは、例えばＶＴＳ＿＃＃＿＠．ＶＯＢという複数のファイルで構成されている。ＶＴＳI（ＢＵＰ）８３ｄは、上記ＶＭＧＩ８０ａと同一の内容である。このＶＴＳI（ＢＵＰ）８３ｄは、例えばＶＴＳ＿＃＃＿０．ＢＵＰというひとつのファイルで構成されている。なお、ＶＴＳＭ＿ＶＯＢＳ８３ｃは省略しても良い。
【００７５】
図１２は、制御部１９が用いる芳香制御情報などを含むビデオデータのフォーマット例を示す図である。
セル（図示の「ＣＥＬＬ」に相当）９１は、それぞれ少なくとも１つのＶＯＢＵ（Ｖｉｄｅｏ  Ｏｂｊｅｃｔ  Ｕｎｉｔ）９２で構成されている。１つのＶＯＢＵ９２は、例えば０.４ｓｅｃから１ｓｅｃの再生時間長を有する。
【００７６】
このＶＯＢＵ９２は、先頭にＮＶ＿ＰＣＫ（Ｎａｖｉｇａｔｉｏｎ  Ｐａｃｋ：図示の「Ｎ」に相当）９３が挿入されており、続いてＧＯＰ（Ｇｒｏｕｐ  Ｏｆ  Ｐｉｃｔｕｒｅ）整数個分のビデオデータ、オーディオデータ、サブピクチャデータなどがパック化されて時分割で挿入されている。ただし、ＮＶ＿ＰＣＫ９３以外のデータは、例えば、常に存在している必要はなく、ＶＯＢＵ９２の再生時間長よりも短くてもよい。
【００７７】
また、ＧＯＰのフレーム数は自由であり、その終端にＭＰＥＧのシーケンス・エンド・コードを置けば、ＧＯＰ最後のフレームで静止画となる。したがって、任意再生時間の静止画を動画中の任意の位置に挿入することができ、オーディオ情報の付加も自由に行えるのである。ＮＶ＿ＰＣＫ９３は、ＰＣＩ（Ｐｒｅｓｅｎｔａｔｉｏｎ  Ｃｏｎｔｒｏｌ  Ｉｎｆｏｒｍａｔｉｏｎ）９３ａとＤＳＩ（Ｄａｔａ  Ｓｅａｒｃｈ  Ｉｎｆｏｒｍａｔｉｏｎ）９３ｂの二つのパケットを有する。
【００７８】
一般的にＤＶＤビデオプレーヤは、可変レート再生とシームレス再生を実現するために、ピックアップとデコーダの間にトラック・バッファと呼ばれる大容量メモリを有する。そのため、ピックアップがＤＶＤから読み取っている信号と、デコードされて再生されている映像や音との間に時間ずれを生じる。
【００７９】
そこで、リアルタイムの制御情報をＰＣＩ９３ａとＤＳＩ９３ｂの二つのパケットに分割して、ＰＣＩ９３ａには再生に関する制御情報を格納するとともに、ＤＳＩ９３ｂにはアクセスに関する制御情報を格納する。すると、ＤＶＤプレーヤは、ＤＳＩ９３ｂとＰＣＩ９３ａをそれぞれトラック・バッファの前と後で処理するのである。
【００８０】
本実施形態では、制御部１９が芳香射出装置９による芳香２６の射出制御にあたり利用する芳香制御情報が、例えば図１２に示す再生表示制御ＰＣＩ９３ａ及びアクセス制御ＤＳＩ９３ｂの少なくとも一方に含まれているものとする。この芳香制御情報は、例えば射出タイミング時刻、射出すべき芳香の種類、及び、射出しているべき期間を表す芳香射出期間を含んでいる。本実施形態では、これらの情報を総称して「芳香フラグ」と呼ぶ。
【００８１】
より具体的には、この芳香制御情報のデータ項目としては、必要に応じて次のような内容のいずれか又はこれらいずれかの組み合わせを選択して採用することができる。
項目１：芳香発生タイミング情報（芳香２６を発生させたい時分秒などのタイムスタンプ）
項目２：芳香持続時間情報（上記再生期間に相当）
項目３：芳香の強さ情報（例えば１〜５のような５段階で表した芳香物質の量）
項目４：芳香成分情報１
項目５：芳香成分情報２
項目６：芳香成分情報３
項目７：芳香成分情報４
項目８：芳香成分情報５
項目９：消臭剤（脱臭気体）発生タイミング情報
項目１０：消臭剤成分情報１
項目１１：消臭剤成分情報２
項目１２：消臭剤成分情報３
項目１３：消臭剤成分情報４
項目１４：消臭剤成分情報５
【００８２】
従って芳香制御情報を参照すれば、その芳香フラグによって、逐次再生される映像などに同期して、どのような種類の芳香をどのようなタイミングでどの程度の期間（再生期間）にわたり射出すべきかについて分かるようになっている。このような芳香制御情報は、コンテンツフォーマットの時間軸に沿ってコンテンツデータに同期するように記述されている。この芳香制御情報としては、例えば、ある特定種類の芳香を、射出タイミング時刻が１２分１５秒から射出時間として３０秒間にわたり指定されていることなどを例示することができる。
【００８３】
本実施形態では、この芳香制御情報が後述するＤＶＤ制御情報に含められて、映像信号（や音信号）とともにＤＶＤなどの記録媒体に記録されている。この記録媒体は、映像音響機器の一例としてのＤＶＤプレーヤによって映像信号（や音信号）及びＤＶＤ制御情報が読み出されることと並列して、芳香伝達装置１００によって芳香制御情報が読み出される。なお、この記録媒体に記録されている芳香制御情報は、コンテンツ作成者の意思により自由に設定することができる。また、上述以外のパラメータを芳香制御情報として定義してもよい。たとえば、芳香を射出する射出速度（伝送速度）を記述し、記述された射出速度に応じて芳香射出制御部２７が芳香射出部２５を制御するようにすることも可能である。
【００８４】
芳香伝達装置１００を内蔵する表示装置１は以上のような構成であり、次に図１〜図１２を参照しつつこの芳香伝達装置１００を内蔵する表示装置１の動作例について説明する。
図１３は、芳香伝達装置１００の動作例を示すフローチャートである。
【００８５】
次にステップＳ１では、制御部１９によって、スイッチ部１７の一部としてのプレイボタン（再生ボタン）がオン（ＯＮ）されたか否かを検出する。このプレイボタンがＯＮとされた場合、指定されたタイトルのコンテンツを再生すべく、図示しないＤＶＤプレーヤに内蔵するピックアップがＤＶＤからコンテンツデータを読み出してコンテンツの再生の準備をする一方、この制御部１９が次のようなステップＳ２を実行する。
【００８６】
このステップＳ２では、ＤＶＤからＤＶＤ制御ファイルが読み出される。次にステップＳ３では、このＤＶＤ制御ファイルに含まれる芳香制御情報の芳香フラグが制御部１９に転送される。
【００８７】
このステップＳ４では、距離計測装置６が、出力源の一例としての表示パネル７の映像表示面と視聴者との離間距離を計測する。具体的には、まず、この距離計測装置６が、例えばカメラによって撮影した視聴者の顔に関する画像から、この視聴者の鼻を画像処理によって認識する。次にこの距離計測装置６が、この視聴者の鼻に向けて光や超音波を照射し、上記離間距離を計測している。なお、この距離計測装置６による離間距離の計測は、ステップＳ４を実行する時点の代わりに、電源スイッチがオンされた直後に行われるようにしても良い。
【００８８】
次にステップＳ５では、制御部１９が、芳香２６の伝送速度及びこの離間距離に基づいて、この芳香射出装置９から射出された芳香２６が視聴者の鼻に到達するまでの所要時間を演算する。この演算式としては、次の式（１）のようになっている。芳香２６の伝送速度は、室温（例えば２０度）における芳香気団の移動速度が記憶部１３に記憶されており、ステップＳ５の実行前に予め設定されているものとする。また、芳香制御情報に射出速度が記述されている場合は記述されている射出速度を伝送速度とする。
【００８９】
「補正タイミング時間」＝「再生タイミング時間」−「映像表示面と芳香を感じる視聴者の鼻との距離」÷「芳香の伝送速度」  ・・・  （１）
なお、式（１）における「映像表示面と芳香を感じ取る視聴者の鼻との距離」は上記「離間距離」に相当し、「芳香の伝送速度」は上記「伝送速度」に相当する。
【００９０】
次にステップＳ６では、この制御部１９が、この演算結果としての所要時間に応じて、上記補正タイミング時間を、芳香射出装置９によって実際に芳香２６を射出すべきタイミングとしてセットする。
【００９１】
次にステップＳ７では、ＤＶＤに記録されているコンテンツデータに基づくコンテンツ（実体内容情報）が再生される。制御部１９は、このようなコンテンツの再生に同期させて、この芳香制御情報の芳香フラグに基づいて、補正タイミング時間にて再生期間にわたり芳香射出装置９を作動させるべく準備する。
【００９２】
この準備としては、例えば、上述のようにセットされたタイミングによって、上述のように芳香射出装置９を作動させようとした本来の再生タイミング（本実施形態では「再生タイミング」と呼んでいる）から、上記所要時間分、この芳香射出装置９の射出タイミングをシフトさせる。本実施形態では、このようにシフトさせた射出タイミングを「補正タイミング」と呼んでいる。
【００９３】
次にステップＳ８では、制御部１９が、現在の時刻が補正タイミング時間であるか否かを確認する。現在の時刻がこの補正タイミング時間でない場合、制御部１９が、現在の時刻がこの補正タイミング時間となるまで繰り返し、現在の時刻が上述した補正タイミング時間であるか否かの確認処理を繰り返す一方、現在の時刻がこの補正タイミング時間である場合、この制御部１９が、次のステップＳ９を実行する。
【００９４】
このステップＳ９では、この芳香射出装置９が、このような制御部１９の制御によって、上記再生タイミングから補正タイミングにシフトさせて芳香２６を、後述するように芳香２６の温度を調整しつつ、次のように射出する。具体的には、制御部１９は、芳香制御情報の芳香フラグに応じて、芳香メインタンク２９から第１基本芳香２９ａなどの好適な基本芳香のいずれか又はこれらいずれかの組み合わせを選択すべくコック２８を制御する。
【００９５】
すると、芳香混合部２１には、このコック２８を経由して所望の基本芳香２９ａなどが蓄積され、所望の種類の芳香（の気団）２６が蓄積される。この制御部１９は、芳香サブタンク２３を制御し、芳香混合部２１にて混合し終わった芳香２６を取り込む。そして芳香射出制御部２７は、芳香射出部２５が未使用状態であることを確認した後に、芳香サブタンク２３に取り込んだ芳香２６を芳香射出部２５に取り込む。
【００９６】
そして制御部１９は、芳香制御情報の芳香フラグに応じた条件で圧電素子２５ｂを作動させ、この芳香射出部２５の内部の体積を再生期間にわたり変化させることにより、この芳香射出部２５に取り込まれた芳香２６を所定の伝送速度で射出する。
【００９７】
このようにすると、視聴者が、接している映像や音に同期させた芳香２６を感じ取ることができることから、視覚や聴覚によりこれら映像や音を楽しむことができるばかりでなく、さらに嗅覚により、これら映像や音に合わせた芳香２６を楽しむことができる。
【００９８】
次にステップＳ１０では、制御部１９が、このような再生期間が経過すると、このように射出した芳香２６を消失させるべく、この芳香射出装置９に、後述するように脱臭気体の温度を調整しつつ、脱臭気体を射出させる。具体的には、制御部１９は、芳香メインタンク２９から基本消臭剤２９ｇを選択すべくコック２８を制御する。なお、この基本消臭剤２９ｇは、上述した脱臭気体を生じさせるためのものである。
【００９９】
すると、芳香混合部２１には、このコック２８を経由して基本消臭剤２９ｇが脱臭気体として蓄積される。この制御部１９は、芳香サブタンク２３を制御し、芳香混合部２１から脱臭気体を取り込む。そして制御部１９は、芳香射出部２５が未使用状態であることを確認した後に、この芳香サブタンク２３に取り込んだ脱臭気体を芳香射出部２５に取り込む。
【０１００】
そして制御部１９は、芳香制御情報の芳香フラグに応じた条件で圧電素子２５ｂを作動させ、この芳香射出部２５の内部の体積を再生期間にわたり変化させることにより、この芳香射出部２５に取り込まれた脱臭気体を所定の伝送速度で射出する。
【０１０１】
このようにすると、視聴者が、接している映像や音に同期させた芳香２６を感じつつも、このような脱臭気体によりその芳香２６が好適なタイミングで消臭されることから、新たに射出された他の芳香２６と混合せず、これら映像や音に合わせた芳香２６を楽しむことができる。
【０１０２】
次にステップＳ１１では、再生している１つのタイトルのコンテンツが終了であるか否か、つまり、ＤＶＤプレーヤがＤＶＤから読み出すべきコンテンツデータが終了であるか否かを判断する。１つのタイトルのコンテンツの終了にまでに至っていない場合には、ＤＶＤプレーヤがＤＶＤからこのタイトルのコンテンツの再生を継続する。一方、制御部１９は、上記ステップＳ８〜ステップＳ１０の実行を再度行う。一方、その１つのタイトルの再生を終了する場合には、そのＤＶＤプレーヤがＤＶＤからのコンテンツの再生（プレイ）を停止（オフ）とする（ステップＳ１２）。
【０１０３】
図１４は、図１３に示す芳香及び脱臭気体の射出処理の手順の一例を示すフローチャートである。
ステップＳ９ａでは、制御部１９が、周囲温度計測部５に、周囲の温度を計測させる。次にステップＳ９ｂでは、制御部が芳香射出制御部２７を制御し、この芳香射出制御部２７に、タンク温度センサ部３０を作動させる。このタンク温度センサ部３０は、芳香サブタンク２３内の芳香温度を計測する。
【０１０４】
次にステップＳ９ｃでは、制御部１９が、これら周囲の温度と芳香温度とを比較する。このとき、周囲の温度が芳香温度よりも高い場合、この制御部１９は、タンク温度コントロール部２４に、芳香サブタンク２３内を加熱させる（ステップＳ９ｄ）。具体的には、タンク温度コントロール部２４は、ペルチェ素子２４ａなどに所定の印加電圧を与えることで、このペルチェ素子２４ａなどを作動させ、発熱させる。
【０１０５】
一方、周囲の温度が芳香温度よりも低い場合、ステップＳ９ｅが実行される。このステップＳ９ｅでは、この制御部１９が、周囲温度が芳香温度よりも低い場合、芳香射出部２５内を冷却させる（ステップＳ９ｆ）。具体的には、タンク温度コントロール部２４は、この制御部１９の制御によって、ペルチェ素子２４ａなどに所定の印加電圧を与えることで、このペルチェ素子２４ａなどを作動させ、吸熱させる。
【０１０６】
一方、周囲の温度が芳香温度とほぼ同様である場合、制御部１９は、芳香射出制御部２７を制御し、この芳香射出制御部２７に芳香射出部２５を作動させ、芳香２６を射出させる。このとき芳香射出制御部２７は、芳香フラグに従って、芳香射出部２５の内部の体積を変化させ、内部の芳香を、ノズル９ａなどを経由して所望の態様で射出する。なお、制御部１９は、このような芳香２６とほぼ同様の手法によって、脱臭気体を射出する際に、タンク温度コントロール部２４に、周囲の温度に脱臭気体の温度を合わせるように調整させ、その調整後の脱臭気体を射出するようにしてもよい。
【０１０７】
上記実施形態における芳香伝達装置１００は、芳香を射出する芳香射出手段９と、射出すべき芳香温度を計測する芳香温度計測手段３０（タンク温度センサ部）と、上記芳香を射出すべき雰囲気温度を計測する雰囲気温度計測手段５（周囲温度計測部）と、上記芳香温度と上記雰囲気温度との差に応じて、上記芳香射出手段９による芳香の射出を制御する制御手段１９，２７（制御部、芳香射出制御部）とを有する。
【０１０８】
このような構成とすると、制御手段１９，２７が、芳香射出手段９が射出する芳香の温度（以下、芳香温度」という）と、その射出された雰囲気の温度（以下「雰囲気温度」という）との差に応じて、芳香射出手段９に芳香を射出している。このため、この射出された芳香は、雰囲気温度にかかわらず、所望の到達地点に到達するようになる。
【０１０９】
上記実施形態における芳香伝達装置１００は、上記構成に加えてさらに、上記芳香射出手段９が射出すべき芳香２６の温度を調整する温度調整手段３０，２４ａなど（タンク温度センサ部、ペルチェ素子）を有し、上記制御手段９（制御部）は、上記温度調整手段３０に、上記芳香２６の温度が上記雰囲気温度と一致するように調整させる。
【０１１０】
このような構成とすると、芳香射出手段９が射出する芳香２６が、雰囲気の温度とほぼ一致するため、この芳香２６がほぼ直線的に進み、この芳香２６を所望の経路を通って所望の位置に到達させることができる。
【０１１１】
上記実施形態における芳香伝達装置１００は、上記構成に代えて或いは上記構成に加えてさらに、上記制御部１９（制御手段）は、上記芳香温度と上記雰囲気温度との温度差に応じて上記芳香射出手段９による芳香の射出角度を変更してもよい。すなわち芳香伝達装置１００は、その芳香射出装置９の射出角度を変更するための調整機構（図示せず）を備えている。この芳香伝達装置１００は、制御部１９によってこの調整機構を制御し、芳香射出装置９が射出する芳香２６の射出角度を変更する。
【０１１２】
このようにすると、芳香温度及び雰囲気温度の温度差にかかわらず、芳香射出手段９が射出した芳香２６を確実に所望の位置に到達させることができる。
【０１１３】
上記実施形態における芳香伝達装置１００は、上記構成に加えてさらに、映像及び音の少なくとも一方を出力する出力源４，７（スピーカ、表示パネル）を有し、上記制御手段１９は、対象者が上記芳香を伴う映像及び音の少なくとも一方を視聴するタイミングと、上記芳香を感じるタイミングとをほぼ一致させるように、上記射出タイミングを補正する。
【０１１４】
このような構成とすると、制御部１９は、芳香射出装置９から射出した芳香を雰囲気温度にかかわらず所望の到達地点に到達させることができるばかりでなく、出力源から出力した映像及び音の少なくとも一方を視聴するタイミングに合わせて、その対象者に芳香を感じさせることができる。このため、この映像などに接している視聴者３１は、この出力源７，４から出力された映像などに同期して提供された芳香２６によって違和感なくより臨場感豊かに、この映像などを楽しむことができる。
【０１１５】
上記実施形態における芳香伝達装置１００は、上記構成に加えてさらに、上記映像及び音の少なくとも一方がコンテンツデータとして記録媒体（ＤＶＤ）に記録されており、この記録媒体は、上記映像及び音の少なくとも一方の内容自体を表す実体内容情報と、上記芳香射出手段９による芳香の射出を制御するための芳香制御情報とを含み、上記制御手段１９（制御部）は、上記記録媒体から取得した上記芳香制御情報に基づいて上記芳香射出手段９を制御する。
【０１１６】
このような構成とすると、芳香制御情報を記録した記録媒体を用意しておけば、制御手段１９は、この記録媒体から取得した芳香制御情報に基づいて、映像などの再生に同期させて所望の方向に芳香を射出することができる。すると視聴者３１は、再生された映像などを視覚などによって楽しむことができるとともに、この映像などに同期した芳香２６を確実に嗅覚によって楽しみつつ、より臨場感豊かに映像などを楽しむことができる。
【０１１７】
上記実施形態における芳香伝達装置１００は、上記構成に加えてさらに、上記芳香制御情報は、少なくとも芳香発生タイミング情報、芳香成分情報を含み、上記制御手段１９は、上記芳香発生タイミング情報が指定する芳香発生タイミングを、上記所要時間だけ前もって芳香が射出されるように上記射出タイミングを補正する。
【０１１８】
このような構成とすると、制御手段１９の制御によって上記所要時間だけ前もって射出された芳香２６は、出力源７，４から出力された映像及び音の少なくとも一方に合わせて、適切なタイミング（補正タイミング時間）でしかも確実に視聴者３１の鼻に到達する。このため、この映像などに接している視聴者３１は、この映像などに同期して提供された芳香２６によって違和感なくより臨場感豊かに、この映像などを楽しむことができる。
【０１１９】
上記実施形態における芳香伝達装置１００は、上記構成に加えてさらに、射出すべき複数の芳香の成分の１つとして用意した、上記射出済みの芳香を消失させるための脱臭気体２９ｇ（基本消臭剤から生成された気体）を射出する。
【０１２０】
このような構成とすると、芳香射出手段９によって映像などに応じて次々に射出される芳香２６が、必要に応じて、所望の方向に射出された脱臭気体２９ｇによって逐一確実に脱臭されるため、瞬間的な芳香２６を視聴者３１に与えたり、不要な残り香が無くなるばかりでなく、異なるタイミングに射出された芳香２６が互いに混じり合うことが確実になくなる。このため、一般的に嗅覚は視覚などに比べて鈍いものの、視聴者３１は、映像などに応じて射出された芳香を、より明瞭に、かつ、確実に区別しつつ映像などを楽しむことができる。
【０１２１】
上記実施形態における芳香伝達装置１００は、上記構成に加えてさらに、上記制御手段１９（制御部）が、上記離間距離に基づいて、上記脱臭気体が上記視聴者３１の鼻に到達するまでの所要時間を演算し、上記所要時間に応じて上記脱臭気体の射出タイミングを補正する脱臭気体射出補正手段を備える。
【０１２２】
このような構成とすると、上述のように芳香伝達装置１００が、脱臭気体２９ｇを所望の方向に確実に射出した後に、さらに、その射出済みの芳香２６を確実にしかも好適なタイミングで消失させることができる。このため視聴者３１は、確実に、好適なタイミングで芳香２６に接し始め、好適なタイミングでこの芳香２６に接しないようになるため、それら２つのタイミングの間の期間にのみ芳香２６を感じることとなる。これに接した視聴者３１は、好適なタイミングで確実に芳香２６を感じ取り、映像などをより臨場感豊かに楽しませることができる。
【０１２３】
上記実施形態における芳香伝達方法は、芳香射出手段９によって射出すべき芳香２６の温度を計測する芳香温度計測ステップと、上記芳香２６を射出すべき雰囲気の温度を計測する雰囲気温度計測ステップと、上記芳香２６の温度と上記雰囲気の温度との差に応じて、上記芳香射出手段９による芳香２６の射出を制御する制御ステップとを有する。
【０１２４】
このような構成とすると、芳香射出手段９が射出した芳香２６は、映像及び音の少なくとも一方に合わせて、適切なタイミング（補正タイミング時間）で視聴者３１の鼻に到達する。このため、この映像などに接している視聴者３１は、この映像などに同期して提供された芳香２６によって違和感なくより臨場感豊かに、この映像などを楽しむことができる。
【０１２５】
上記実施形態における芳香伝達方法は、上記手順に加えてさらに、上記芳香射出手段９から対象者の鼻までの離間距離を計測する距離計測ステップを有し、上記制御ステップでは、さらに、上記離間距離に基づいて、上記芳香射出手段９から射出された上記芳香２６が上記対象者の鼻に到達するまでの所要時間を演算し、上記所要時間に応じて上記芳香射出手段による上記芳香２６の射出タイミングを補正して上記芳香射出手段９を制御する。
【０１２６】
このような構成とすると、芳香射出手段９が射出した芳香２６は、映像及び音の少なくとも一方に合わせて、適切なタイミング（補正タイミング時間）で確実に視聴者３１の鼻に到達する。このため視聴者３１は、この芳香２６とともに映像などを違和感なく、より臨場感豊かに楽しむことができる。
【０１２７】
＜第２実施形態＞
図１５は、第２実施形態における芳香伝達装置１００に提供すべき芳香制御情報などを送信する送信装置５０の構成例を示すブロック図である。
図１６は、第２実施形態における芳香伝達装置１００に提供すべき芳香制御情報を受信する受信装置６０の構成例を示すブロック図である。
【０１２８】
第２実施形態における芳香伝達装置１００及び表示装置１は、各々、第１実施形態における芳香伝達装置１００及び表示装置１とほぼ同様の構成でありほぼ同様の動作である。このため第２実施形態では、同一の構成及び動作については第１実施形態における図１乃至１４と同一の符号を用いるとともに、その説明を省略し、以下の説明では異なる点を中心として説明する。
【０１２９】
第１実施形態では、制御部１９が、ＤＶＤからコンテンツデータ（実体内容情報）とともに芳香制御情報を取得していたが、第２実施形態では、この制御部１９が、いわゆるディジタル放送における放送データから、コンテンツデータ（実体内容情報）とともに芳香制御情報（前述のＤＶＤと同様な）を取得している。つまり第２実施形態では、第１実施形態のようにＤＶＤなどの記録媒体に芳香制御情報を入れておいたのに対して、ストリーム系の放送データにおける制御ファイルに芳香制御情報を入れておく点が異なっている。
【０１３０】
図１５に示す送信装置５０は、例えばいわゆるディジタル放送事業者において設置された送信設備の一部である。この送信装置５０は、所定のコンテンツの再生に用いる放送データを送信する機能を有する。この送信装置５０は、符号化部５１，５２，５３、グループ化パケット多重化部５４（以下「パケット多重化部５４」という）、変調部５５、送信部５６及びアンテナ５７を備えている。
【０１３１】
符号化部５１，５２，５３は、それぞれ、芳香制御情報、映像信号及び音信号を符号化（圧縮）する機能を有する。パケット多重化部５４は、これら符号化された芳香制御情報、映像信号及び音信号をグループ化しつつパケット単位で多重化する機能を有する。
【０１３２】
このときパケット多重化部５４は、例えば多重化したデータに誤り訂正符号を付している。変調部５５は、多重化されたこれらデータをディジタル変調し、送信部５６に出力する。この送信部５６は、引き渡されたデータをアンテナ５７を経由して放送データとして送信する。
【０１３３】
一方、図１６に示す受信装置６０は、例えば一般家庭に設置される受信チューナである。この受信チューナは、その放送データを受信する機能を有する。この受信装置６０は、符号化部６１，６２，６３、誤り訂正多重分離部６４、変調部６５、送信部６６及びアンテナ６７を備えている。
【０１３４】
受信部６６は、アンテナ６７を介して受信した放送データを復調部６６に引き渡す。この復調部６６は、この放送データをディジタル復調し、誤り訂正多重分離部６４に引き渡す。
【０１３５】
この誤り訂正多重分離部６４は、ディジタル復調された放送データを誤り訂正処理を実行する。次にこの誤り訂正多重分離部６４は、多重化された芳香制御情報、映像信号及び音信号を各々分離し、符号化部６１，６２，６３に引き渡す。これら符号化部６１，６２，６３は、各々芳香制御情報、映像信号及び音信号を各々復号化し、芳香制御情報、映像信号及び音信号を生成する。
【０１３６】
上記制御部１９は、以上のように受信装置６０によって送信装置５０から受信した芳香制御情報を取得する。この制御部１９は、この映像信号に基づいて表示パネル７に表示された映像に同期させるとともに、この音信号に基づいてスピーカー４に出力された音に同期させて、この芳香制御情報に基づいて芳香射出装置９を制御する。このとき、この制御部１９は、第１実施形態と同様に芳香制御情報の芳香フラグの内容に応じて、芳香射出装置９に、上記再生タイミング時間の代わりに、補正タイミング時間から再生期間に渡り、所望の温度とした芳香２６を射出させるように制御している。ここでいう所望の温度とは、例えば周囲環境の温度を表している。
【０１３７】
第２実施形態における芳香伝達装置１００は、上記第１実施形態の構成に加えてさらに、映像及び音の少なくとも一方がコンテンツデータとして配信されており、このコンテンツデータは、上記映像及び音の少なくとも一方の内容自体を表す実体内容情報と、上記芳香射出手段９による芳香の射出を制御するための芳香制御情報とを含み、上記制御手段１９（制御部）は、受信した上記芳香制御情報に基づいて上記芳香射出手段９（芳香射出部）を制御する。
【０１３８】
このような構成とすると、配信すべき実体内容情報（コンテンツデータ）とともに芳香制御情報を用意しておけば、制御手段１９（制御部）は、この取得した芳香制御情報に基づいて、映像などの再生に同期させて、芳香射出装置９に所望の温度とした芳香２６を射出させる。すると視聴者３１は、再生された映像などを楽しむことができるとともに、この映像などに同期した芳香２６が確実に提供されることで、より臨場感豊かに映像などを楽しむことができる。
【０１３９】
上記実施形態における芳香伝達装置１００は、上記構成に加えてさらに、上記芳香制御情報は、少なくとも芳香発生タイミング情報、芳香成分情報を含み、上記制御手段１９は、上記芳香発生タイミング情報が指定する芳香発生タイミングを、上記所要時間だけ前もって芳香が射出されるように上記射出タイミングを補正する。
【０１４０】
このような構成とすると、制御手段１９の制御によって上記所要時間だけ前もって射出された芳香２６は、出力源７，４から出力された映像及び音の少なくとも一方に合わせて、適切なタイミング（補正タイミング時間）で視聴者３１の鼻に到達する。このため、この映像などに接している視聴者３１は、この映像などに同期して提供された芳香２６によって違和感なくより臨場感豊かに、この映像などを楽しむことができる。
【０１４１】
＜第３実施形態＞
図１７は、第３実施形態における芳香伝達装置１００に提供すべき芳香制御情報などを送信する送信装置７０の構成例を示すブロック図である。
図１８は、第２実施形態における芳香伝達装置１００に提供すべき芳香制御情報を受信する受信装置８０の構成例を示すブロック図である。
【０１４２】
第３実施形態における芳香伝達装置１００及び表示装置１は、各々、第１実施形態における芳香伝達装置１００及び表示装置１とほぼ同様の構成でありほぼ同様の動作である。このため第２実施形態では、同一の構成及び動作については第１実施形態における図１乃至図１４と同一の符号を用いるとともに、その説明を省略し、以下の説明では異なる点を中心として説明する。
【０１４３】
第１実施形態では、芳香伝達装置１００の制御部１９が、ＤＶＤからコンテンツ（実体内容情報）とともに芳香制御情報を取得していたが、第２実施形態では、この制御部１９が、いわゆるアナログ放送における放送データから、コンテンツ（実体内容情報）とともに芳香制御情報（前述のＤＶＤと同様な）を取得している。つまり第２実施形態では、第１実施形態のようにＤＶＤなどの記録媒体に芳香制御情報を入れておいたのに対して、アナログ放送波（放送データ）に芳香制御情報を含めておく点が異なっている。
【０１４４】
図１７に示す送信装置７０は、例えばいわゆるアナログ放送事業者において設置された受信設備の一部である。この送信装置７０は、所定のコンテンツの再生に用いる放送データを送信する機能を有する。この送信装置７０は、多重化部７１、変調部７２，７３、合成部７４、送信部７５及びアンテナ７６を備えている。
【０１４５】
多重部７１は、芳香制御情報及び映像信号を多重化する機能を有する。変調部７２は、多重化されたこれら映像信号などをアナログ変調する機能を有する。変調部７３は、音信号をアナログ変調する機能を有する。合成部７４は、変調部７２によってアナログ変調された芳香制御情報及び映像信号と、変調部７３によってアナログ変調された音信号とを合成する機能を有する。送信部７５は、合成部７４によって合成された芳香制御情報及び映像信号並びに音信号をアンテナ７６を介して放送データとして送信する機能を有する。
【０１４６】
一方、図１８に示す受信装置８０は、例えば一般家庭に設置される受信チューナである。この受信チューナは、その放送データを受信する機能を有する。この受信装置８０は、分離器８１、検波部８２，８３、受信部８４及びアンテナ８５を備えている。
【０１４７】
受信部８４は、アンテナ８５を介して受信した放送データを検波部８２，８３に引き渡す。この検波部８２は、芳香制御情報を含む映像信号を検波し、分離器８１に出力する。この分離器８１は、芳香制御情報と映像信号を分離する。一方、検波部８３は、放送データを検波し、音信号を取得する。
【０１４８】
上記制御部１９は、以上のようにして受信装置８０によって送信装置７０から受信した芳香制御情報を取得する。この制御部１９は、この映像信号に基づいて表示パネル７に表示された映像に同期させるとともに、この音信号に基づいてスピーカー４に出力された音声に同期させて、この芳香制御情報に基づいて芳香射出装置９を制御する。このとき、この制御部１９は、第１実施形態と同様に芳香制御情報の芳香フラグの内容に応じて、芳香射出装置９に、上記再生タイミング時間の代わりに、補正タイミング時間から再生期間に渡り、所望の温度とした芳香２６を射出させるように制御している。ここでいう所望の温度とは、例えば周囲環境の温度を表している。
【０１４９】
第３実施形態における芳香伝達装置１００は、上記第１実施形態の構成に加えてさらに、映像及び音の少なくとも一方がコンテンツデータとして配信されており、このコンテンツデータは、上記映像及び音の少なくとも一方の内容自体を表す実体内容情報と、上記芳香射出手段９による芳香の射出を制御するための芳香制御情報とを含み、上記制御手段１９（芳香射出制御部）は、受信した上記芳香制御情報に基づいて上記芳香射出手段９（芳香射出部）を制御する。
【０１５０】
このような構成とすると、配信すべき実体内容情報（コンテンツデータ）とともに芳香制御情報を用意しておけば、制御手段１９（芳香射出制御部）は、この取得した芳香制御情報に基づいて、映像などの再生に同期させて、芳香射出装置９に所望の温度とした芳香２６を射出させる。すると視聴者３１は、再生された映像などを楽しむことができるとともに、この映像などに同期した芳香２６が確実に提供されることで、より臨場感豊かに映像などを楽しむことができる。
【０１５１】
上記実施形態における芳香伝達装置１００は、上記芳香制御情報は、少なくとも芳香発生タイミング情報、芳香成分情報を含み、上記制御手段１９は、上記芳香発生タイミング情報が指定する芳香発生タイミングを、上記所要時間だけ前もって芳香が射出されるように上記射出タイミングを補正する。
【０１５２】
このような構成とすると、制御手段１９の制御によって上記所要時間だけ前もって射出された芳香２６は、出力源７，４から出力された映像及び音の少なくとも一方に合わせて、適切なタイミング（補正タイミング時間）で視聴者３１の鼻に到達する。このため、この映像などに接している視聴者３１は、この映像などに同期して提供された芳香２６によって違和感なくより臨場感豊かに、この映像などを楽しむことができる。
【０１５３】
なお、本実施形態は、上記に限られず、種々の変形が可能である。以下、そのような変形例を順を追って説明する。
上記実施形態では、記録媒体の一例としてのＤＶＤに、コンテンツとともに芳香制御情報を記録していたが、例えばいわゆるＢｌｕ−Ｒａｙディスクのユーザエリアに記録しておき、コンテンツの出力に同期させて芳香２６を出力するようにしても良い。また、デジタル／アナログ放送波に限らずインターネットで配信されるデータストリーム中に芳香制御情報を記録しても良い。また上記コンテンツデータが芳香制御情報を含んでいてもよい。
【０１５４】
上記実施形態においては、芳香伝達装置１００が、映像などのコンテンツの出力に同期させて芳香２６を出力している場合に、このコンテンツの聴従させて芳香２６を射出している旨の表示（例えば「芳香タイム」という表示）を行うことができる。
【０１５５】
上記実施形態では、芳香伝達装置１００が、映像などのコンテンツの出力に同期させて好適なタイミングで芳香２６を射出することを例示しているが、これに限られない。すなわち、上記実施形態では、例えば視聴者３１が食事中である場合のように、このように射出すべき芳香２６の他にも香りが存在しうるときには、芳香伝達装置１００に、芳香２６の射出についてオン又はオフを切り替える機能を備えていても良い。なお、このオン又はオフを切り替える機能としては、視聴者３１がリモートコントローラによって芳香伝達装置１００に指示を与えることができるようにしてもよい。
【０１５６】
また、上記実施形態では、視聴者３１が１名であることを例示しているが、これに限られず、視聴者３１が複数名であっても良い。この場合、芳香伝達装置１００は、その距離計測装置６によって視聴者３１が複数いることを認識した場合、制御部１９が、芳香射出装置９に射出させるべき芳香２６の量を増加させるようにしてもよい。
【０１５７】
上記実施形態においては、芳香射出装置９が、芳香２６のみならず脱臭気体の両方を射出しているが、これに限られず、芳香２６と脱臭気体を別々の射出部から射出する形態を採用しても良い。すなわち、芳香射出装置９が、芳香射出部２５によって芳香２６を射出する一方、別個独立して設けた消臭剤射出部（図示せず）によって脱臭気体を射出するようにしても良い。
【０１５８】
上記実施形態では、表示装置１が芳香伝達装置１００を内蔵している形態を例示しているが、これに限られず、芳香伝達装置１００が表示装置１とは別体となっている形態であっても良い。さらには芳香伝達装置１００自体が表示装置１であってもよい。
【０１５９】
上記実施形態では、ノズル９ａ，９ｂを可撓性部材で構成し、芳香気体の気団の形状を変化させるようにしてもよい。さらに芳香伝達装置１００（出力装置）は、図示しない感知センサを備えており、この感知センサによって複数人（複数個の鼻）があることを検出できるようにしてもよい。このようにすると、この芳香伝達装置１００は、例えば、視聴者が一人（視聴者Ａ）の場合は、視聴者Ａの鼻の位置にピンポイントで芳香が伝達されるような気団の形状になるように、ノズル９の形状を変化させることができる。また、この芳香伝達装置１００は、例えば、視聴者が２人（例えば視聴者ＡとＢがソファに並んで座っているような場合）は、ノズル９ａ，９ｂの形状を楕円形に変化させることにより、水平方向に広がった形状の芳香気団を射出するようにしてもよい。このようにすると、横長の気団により、視聴者ＡとＢの鼻に同時に芳香を伝達することが可能になる。
【図面の簡単な説明】
【０１６０】
【図１】第１実施形態としての芳香伝達装置を備える表示装置の外観の一例を示す正面図である。
【図２】図１に示す表示装置が内蔵する芳香伝達装置の電気的な構成例を示すブロック図である。
【図３】図２に示す芳香射出装置の概念的な構成例を示すブロック図である。
【図４】図３に示す芳香サブタンクの構成例を示す断面図である。
【図５】図３に示す芳香射出部の構成例を示す断面図である。
【図６】芳香射出装置が視聴者に対して芳香を射出する様子を上方から見た場合の一例を示す平面図である。
【図７】芳香射出装置が視聴者に対して芳香を射出する様子を側方から見た場合の一例を示す平面図である。
【図８】芳香射出装置が視聴者に対して芳香を射出する様子を側方から見た場合の一例を示す平面図である。
【図９】芳香射出装置が視聴者に対して芳香を射出する様子を側方から見た場合の一例を示す平面図である。
【図１０】上記ＤＶＤへコンテンツデータ及び芳香制御情報を記録する記録装置の構成例を示すブロック図である。
【図１１】ビデオファイルのフォーマットの一例を示す図である。
【図１２】制御部が用いる芳香制御情報などのフォーマット例を示す図である。
【図１３】芳香射出装置の動作例を示すフローチャートである。
【図１４】図１３に示す芳香及び脱臭気体の射出処理の手順の一例を示すフローチャートである。
【図１５】第２実施形態における芳香射出装置に提供すべき芳香制御情報を送信する送信装置の構成例を示すブロック図である。
【図１６】第２実施形態における芳香射出装置に提供すべき芳香制御情報を受信する受信装置の構成例を示すブロック図である。
【図１７】第３実施形態における芳香射出装置に提供すべき芳香制御情報を送信する送信装置の構成例を示すブロック図である。
【図１８】第３実施形態における芳香射出装置に提供すべき芳香制御情報を受信する受信装置の構成例を示すブロック図である。
【符号の説明】
【０１６１】
１                表示装置（出力装置）
４                スピーカー（出力源）
５                周囲温度計測部（雰囲気温度計測手段）
６                距離計測装置（距離計測手段）
７                表示パネル（出力源）
９                芳香射出装置（芳香射出手段）
１９              制御部（制御手段）
２４              タンク温度コントロール部（制御手段、温度調整手段）
２４ａ〜２４ｄ    ペルチェ素子（温度調整手段）
２７              芳香射出制御部（制御手段）
３０              タンク温度センサ部（芳香温度計測手段、温度調整手段）
１００            芳香伝達装置
【図１】
2008270923.tif 000003
【図２】
2008270923.tif 000004
【図３】
2008270923.tif 000005
【図４】
2008270923.tif 000006
【図５】
2008270923.tif 000007
【図６】
2008270923.tif 000008
【図７】
2008270923.tif 000009
【図８】
2008270923.tif 000010
【図９】
2008270923.tif 000011
【図１０】
2008270923.tif 000012
【図１１】
2008270923.tif 000013
【図１２】
2008270923.tif 000014
【図１３】
2008270923.tif 000015
【図１４】
2008270923.tif 000016
【図１５】
2008270923.tif 000017
【図１６】
2008270923.tif 000018
【図１７】
2008270923.tif 000019
【図１８】
2008270923.tif 000020